(57)【要約】【課題】  加湿運転中において加熱源が過昇温した場合の安全性を確保する。【解決手段】  本体ケース１内に配設したファン２と、該ファン２から吹き出される室内空気Ｗ１を加熱する加熱源１４と、前記ファン２の風路内に配設した気化式加湿エレメント３とを備え、該気化式加湿エレメント３を、水を貯留する水槽２２と該水槽２２内に回転自在に枢支され且つその一部が前記水槽２２内の貯留水に浸漬される回転加湿フィルタ２３とによって構成した加湿装置において、前記加熱源１４の過昇温を検知する温度検知手段２１を付設するとともに、加湿運転中において前記温度検知手段２１により異常温度が検知された時には、前記加熱源１４への通電を停止し且つ前記ファン２および回転加湿フィルタ２３を所定時間駆動させる制御手段を付設して、加湿運転中において加熱源１４の過昇温が検知された時には、所定時間だけ冷却運転が実行されるようにしている。【選択図】        図４
2008157617.tif 000002
【特許請求の範囲】
【請求項１】
室内空気を吸い込む空気吸込口と加湿空気を吹き出す空気吹出口とを有する本体ケースと、該本体ケース内に配設したファンと、該ファンから吹き出される室内空気を加熱する加熱源と、前記ファンの風路内に配設した気化式加湿エレメントと、該気化式加湿エレメントに水を供給する水タンクとを備え、前記気化式加湿エレメントを、前記水タンクから供給される水を貯留する水槽と該水槽内に回転自在に枢支され且つその一部が前記水槽内の貯留水に浸漬される回転加湿フィルタとによって構成した加湿装置であって、前記加熱源の過昇温を検知する温度検知手段を付設するとともに、加湿運転中において前記温度検知手段により異常温度が検知された時には、前記加熱源への通電を停止し且つ前記ファンおよび回転加湿フィルタを所定時間駆動させる制御手段を付設したことを特徴とする加湿装置。
【発明の詳細な説明】
【技術分野】
【０００１】
本願発明は、加湿装置に関し、さらに詳しくは、回転加湿フィルタにより構成された気化式加湿エレメントを備えた加湿装置に関するものである。
【背景技術】
【０００２】
近年、冬季において暖房装置使用中の室内を適湿環境に保持するために加湿装置が使用されている。
【０００３】
この種の加湿装置として、吸水性の良いシート状の素材をプリーツ折りした横長方形の回転加湿フィルタからなる気化式加湿エレメントを備えたものが従来から知られている（特許文献１参照）。
【０００４】
【特許文献１】特開２００５−３７０１１号公報。
【発明の開示】
【発明が解決しようとする課題】
【０００５】
ところが、加湿装置の場合、通常加湿運転開始と同時にファンおよび回転加湿フィルタを駆動させるようになっている。この場合、回転加湿フィルタが吸水性に富む材料により構成されているときには、あまり問題とならないが、吸水性を有しない材料で回転加湿フィルタを構成した場合、以下のような不具合が発生する。
【０００６】
この種の加湿装置は、夏季冷房時には使用されず、冬季暖房時に使用されのが通例となっているため、長期間運転休止状態となる。このような長期間運転休止後に加湿運転を行う場合や乾燥条件で加湿運転を行う場合には、回転加湿フィルタの表面（例えば、水に浸漬されていない部分）にカルシウム等のミネラル分やほこり等が付着していることが多く、加湿運転初期においては当該部分が水に濡れていないため、これらのミネラル分やほこり等が、ファンから吹き出される室内空気に乗って室内に飛散するおそれがある。また、加湿運転初期においては、回転加湿フィルタの全体が水に濡れていないところから、加湿能力が十分に発揮できないにもかかわらず、ファンの駆動動力が必要となるという不具合もある。
【０００７】
また、加湿運転中においては、ファンから吹き出される室内空気を加熱する方が加湿効率が向上するところから、ファンから吹き出される室内空気を加熱するために加熱源が付設される。この場合、加熱源が過昇温することがあり、そのまま加湿運転を継続していると、安全性が損なわれるという不具合が生ずるおそれがある。
【０００８】
本願発明は、上記の点に鑑みてなされたもので、加湿運転中において加熱源が過昇温した場合の安全性を確保することを目的とするものである。
【課題を解決するための手段】
【０００９】
本願発明では、上記課題を解決するための第１の手段として、室内空気を吸い込む空気吸込口と加湿空気を吹き出す空気吹出口とを有する本体ケースと、該本体ケース内に配設したファンと、該ファンから吹き出される室内空気を加熱する加熱源と、前記ファンの風路内に配設した気化式加湿エレメントと、該気化式加湿エレメントに水を供給する水タンクとを備え、前記気化式加湿エレメントを、前記水タンクから供給される水を貯留する水槽と該水槽内に回転自在に枢支され且つその一部が前記水槽内の貯留水に浸漬される回転加湿フィルタとによって構成した加湿装置において、前記加熱源の過昇温を検知する温度検知手段を付設するとともに、加湿運転中において前記温度検知手段により異常温度が検知された時には、前記加熱源への通電を停止し且つ前記ファンおよび回転加湿フィルタを所定時間駆動させる制御手段を付設している。
【００１０】
上記のように構成したことにより、加湿運転中において加熱源の過昇温が検知された時には、加熱源への通電が停止され且つファンおよび回転加湿フィルタが所定時間だけ駆動される（即ち、冷却運転が実行される）こととなる。従って、加湿装置各部の冷却が行われることとなり、確実な安全処理を行うことができる。
【発明の効果】
【００１１】
本願発明の第１の手段によれば、室内空気を吸い込む空気吸込口と加湿空気を吹き出す空気吹出口とを有する本体ケースと、該本体ケース内に配設したファンと、該ファンから吹き出される室内空気を加熱する加熱源と、前記ファンの風路内に配設した気化式加湿エレメントと、該気化式加湿エレメントに水を供給する水タンクとを備え、前記気化式加湿エレメントを、前記水タンクから供給される水を貯留する水槽と該水槽内に回転自在に枢支され且つその一部が前記水槽内の貯留水に浸漬される回転加湿フィルタとによって構成した加湿装置において、前記加熱源の過昇温を検知する温度検知手段を付設するとともに、加湿運転中において前記温度検知手段により異常温度が検知された時には、前記加熱源への通電を停止し且つ前記ファンおよび回転加湿フィルタを所定時間駆動させる制御手段を付設して、加湿運転中において加熱源の過昇温が検知された時には、加熱源への通電が停止され且つファンおよび回転加湿フィルタが所定時間だけ駆動される（即ち、冷却運転が実行される）ようにしたので、加湿装置各部の冷却が行われることとなり、確実な安全処理を行うことができるという効果がある。
【発明を実施するための最良の形態】
【００１２】
以下、添付の図面を参照して、本願発明の好適な実施の形態について詳述する。
【００１３】
この加湿装置は、図１ないし図４に示すように、室内空気Ｗ1を吸い込む空気吸込口５と加湿空気Ｗ2を吹き出す空気吹出口６とを有する本体ケース１と、該本体ケース内に配設したファン２と、該ファン２の風路内に配設した気化式加湿エレメント３と、該気化式加湿エレメント３に水を供給する水タンク４とを備えて構成されている。
【００１４】
前記空気吸込口５は、前記本体ケース１における背面１の上部に形成されており、前記空気吹出口６は、前記本体ケース１の上面一側に形成されている。
【００１５】
前記ファン２は、前記空気吸込口５の前方側に配設されており、前記空気吸込口５と対向する吸気口９と下向きとされた吐出口１０とを有するスクロール形状のファンカバー７と該ファンカバー７内に配設された前進翼形状の羽根車８とにより構成されている。符号１１は前記羽根車８を回転駆動させるファンモータであり、該ファンモータ１１は、前記空気吸込口５からファンカバー７の吸気口９との間に後述する加湿空気通路３８と隔壁１３により区画形成された吸気通路１２内にあって前記ファンカバー７に取り付けられている。
【００１６】
前記ファン２におけるファンカバー７の吐出口１０の下方には、該ファン２から吹き出される室内空気Ｗ1を加熱するための加熱源として作用するヒータユニット１４が配設されている。該ヒータユニット１４は、図５に示すように、矩形形状の箱型のヒータケース１５と、該ヒータケース１５内に設けた直交桟１６に対して略菱形形状に複数層が重合するように巻き付けられ電熱線１７とによって構成されており、前記ヒータケース１５の底面には、多数の空気流通穴１８，１８・・が形成されている（図４参照）。符号１９はファン２から吹き出される室内空気Ｗ1をヒータケース１５内に誘導する作用と前記室内空気Ｗ1がヒータユニット１４をバイパスするのを防止するためのリブである。このようにすると、ファン２から吹き出された室内空気Ｗ1と電熱線１７との接触効率が向上し、効率的な加熱を行うことができる。
【００１７】
前記ヒータユニット１４の背面側には、ファン２から吹き出される室内空気Ｗ1の一部がバイパスするバイパス通路２０が設けられており、該バイパス通路２には、室温検知用とヒータケース１５の過昇温検知用とに供される温度検知手段として作用する温度センサー２１が設けられている。このようにすると、室温検知と過昇温検知とを一つのセンサーで行うことができることとなり、構造簡略化を図ることができる。
【００１８】
前記気化式加湿エレメント３は、前記ヒータユニット１４の下方位置であって前記ファン２の風路内に位置して配設されており、前記水タンク４から供給される水を貯留するとともに前記本体ケース１に対して前記空気吹出口６の反対側から引き出し自在とされた水槽２２と該水槽２２内に回転自在に枢支される回転加湿フィルタ２３とによって構成されている。
【００１９】
前記回転加湿フィルタ２３は、駆動源であるフィルタモータ２６に減速機構２７を介して連結された回転軸２４と、該回転軸２４に対して分解可能に枢支された多数の合成樹脂製（例えば、プロピロピレン製）のプレート２５，２５・・とにより構成されている（図６参照）。前記減速機構２７は、フィルタモータ２６により回転駆動される主動側ギヤ（即ち、小径ギヤ）２７ａと該主動側ギヤ２７ａと噛合する従動側ギヤ２７ｂとからなっている。このようにすると、回転加湿フィルタ２３を、回転軸２４と多数のプレート２５，２５・・とに分解することが可能となり、お手入れを簡単に行うことができる。
【００２０】
前記各プレート２５の外周縁部（即ち、軸心２５ａの近傍を除く部分）における表裏両面には、回転方向Ｍに凹となる４個の半円弧形状のリブ２８，２８・・が周方向等間隔（即ち、９０°間隔）で形成されている。該リブ２８，２８・・は、プレート２５の回転に伴って水槽２２内に貯留された水を汲み上げる作用とプレート２５，２５・・相互間の間隔を保持する（換言すれば、風路を形成する）作用をなすものであり、その形状および個数は、本実施の形態におけるものに限定されない。なお、前記プレート２５，２５・・のうち両端に位置するプレート２５Ａ，２５Ｂには、前記リブ２８，２８・・は形成されない。
【００２１】
また、前記各プレート２５の軸心２５ａには、表裏両面のリブ２８，２８・・の高さと同高の４個の軸受片２９，２９・・が周方向等間隔（即ち、９０°間隔）で取り付けられており、該軸受片２９，２９・・の間には、４個の凹部３０，３０・・が形成されることとなっている（図７参照）。このようにすると、プレート２５，２５・・は、外周縁部に位置するリブ２８，２８・・と軸心部に位置する軸受片２９，２９・・とによって互いに当接状態を保持されることとなり、回転駆動時にガタ付きが生ずるということがなくなる。
【００２２】
一方、前記回転軸２４には、図８に示すように、一端側に前記減速機構２７を構成する従動側ギヤ（即ち、大径ギヤ）２７ｂを固定（例えば、ビス止め）する駆動軸２４ａが形成されている。また、前記回転軸２４の外周には、前記プレート２５の軸心２５ａに設けられた軸受片２９，２９・・間の凹部３０，３０・・を嵌挿するための軸方向に延びる４個の突条３１，３１・・  が形成されている。このようにすると、回転加湿フィルタ２３の回転駆動時にプレート２５，２５・・が回転軸２４に対して空回りすることがなくなる。なお、プレート２５，２５・・は、回転軸２４の突条３１，３１・・に沿って取り外すことが可能（換言すれば、分解可能）となっている。
【００２３】
そして、前記回転加湿フィルタ２３の回転軸２４における駆動軸２４ａは、前記水槽２２において前記空気吹出口６の下方に位置する部分（即ち、水槽２２の引き出し方向に関して反対側）に設けられている。つまり、前記回転軸２４の一端（即ち、駆動軸２４ａ側端部）は、前記水槽２２における引き出し方奥側の側壁２２ａに形成された上部が開放された切欠形状の軸受部３２（図２参照）に対して回動自在に枢支される一方、前記回転軸２４の他端（即ち、反駆動軸側端部）は、前記水槽２２における引き出し方向手前側の側壁２２ｂの内面に形成されたＵ字状の溝３３（図４参照）に対して回動自在に枢支されているのである。このようにすると、気化式加湿エレメント３を駆動源であるフィルタモータ２６から分離して本体ケース１から容易に取り外すことができるとともに、水槽２２から回転加湿フィルタ２３を容易に離脱させることもできる。
【００２４】
前記水槽２２の引き出し方向側には、前記水タンク４が着脱自在にセットされるとともに該水タンク４から出る水を一時的に貯留する貯水部３４が一体に設けられている。前記水タンク４は、前記貯水部３４に対して倒立状態でセットされることとなっており、水タンク４の給水口４ａには、水タンク４の前記貯水部３４へのセット時にのみ開弁する開閉弁３５が設けられている。符号３６は貯水部３４内に配置された水タンク４が空になったことを検知するためのフロートスイッチ、である。このようにすると、本体ケース１に対して気化式加湿エレメント３と水タンク４とが一体的に引き出し可能となるのである。
【００２５】
また、この貯水部３４と前記水槽２２とは、該水槽２２の引き出し方向手前側の側壁２２ｂには、貯水部３４と水槽２２とを連通させる連通穴３７が形成されている。従って、貯水部３４内と水槽２２内とは、同一の水位Ｌとされることとなっている。該水位Ｌは、前記回転加湿フィルタ２３における各プレート２５に設けられたリブ２８，２８・・のうち下端に位置するリブ２８の上端が浸漬される程度とされる（図４参照）。つまり、前記回転加湿フィルタ２３の一部は、前記水槽２２内の貯留水に浸漬されており、前記ファン２から吹き出される室内空気Ｗ1の流れの中心は、前記回転加湿フィルタ２３の回転中心より外周側を通過するように構成されているのである。このようにすると、各プレート２５における軸心２５ａの周りにできるだけ大きな平面部２５ｂが形成されることとなり、室内空気Ｗ1の流れがスムーズになる。なお、前記平面部２５ｂは、水に浸漬されないが、プレート２５の回転に伴って、リブ２８，２８・・が上方に移動する過程において、リブ２８，２８・・に汲み上げられた水がこぼれて、前記平面部２５ｂを濡らすこととなるので、プレート２５において水槽２２内の貯留水に浸漬されていない面全体が加湿用として供されることとなり、加湿効率が大幅に向上する。
【００２６】
さらに、前記回転加湿フィルタ２３の回転方向Ｍは、前記ファン２から吹き出される室内空気Ｗ1を迎える方向とされている。このようにすると、ファン２から吹き出される室内空気Ｗ1が、水槽２の貯留水にから出た直後の回転加湿フィルタ２３に接触することとなり、室内空気Ｗ1への加湿効率が向上するし、回転加湿フィルタ２３における圧力損失をできるだけ小さくすることもできる（ファン２から吹き出される室内空気Ｗ1が空気吹出口６側へかき出される）。しかも、回転加湿フィルタ２３の回転に伴って、各プレート２５におけるリブ２８，２８・・は、加湿空気Ｗ2の出口側においては下向きとなって、リブ２８，２８・・内の水は空となっているところから、加湿空気Ｗ2による水滴の飛散（例えば、空気吹出口６や他の箇所への飛散）を防止することもできる。
【００２７】
さらに、前記ファンカバー７と前記本体ケース１との間には、前記空気吹出口６へ通ずる加湿空気通路３８が形成されている。
【００２８】
図面中、符号３９はファン２の吐出口１０と本体ケース１の外側とをシールするシール用リブ、４０はファン２から吹き出された室内空気Ｗ1と回転加湿フィルタ２３を通過して加湿された加湿空気Ｗ2との流路をシールするシール用リブ、４１は本体ケース１の上面に設けられた操作パネル、４２はマイコン制御基板、４３は湿度センサーである。
【００２９】
前記操作パネル４１には、図９に示すように、入／切キー４４、運転切替キー４５、省エネ／快音快速運転切替キー４６およびオフタイマーキー４７の四つのキーと、給水表示灯４８、強運転表示灯４９、自動運転表示灯５０、静音運転表示灯５１、しっとり運転表示灯５２、省エネ運転表示灯５３、快温快速運転表示灯５４、２時間タイマー表示灯５５および４時間タイマー表示灯５６の９個のＬＥＤとが設けられている。なお、オフタイマーキー４７は、長押しすることによりチャイルドロックキーとしても作用する。
【００３０】
図１０には、本実施の形態にかかる加湿装置における電気的要素の結線図が示されている。なお、既に説明した電気的要素については、同一の符号を付して説明を省略する。
【００３１】
図１０において、符号５７は電源基板、５８はマイクロコンピュータユニット（以下、マイコンと略称する）である。
【００３２】
上記のように構成された加湿装置においては、次のような作用効果が得られる。
【００３３】
まず、水タンク４を貯水部３４にセットした後、ファンモータ１１およびフィルタモータ２６を駆動させて、ファン２を駆動させ且つ回転加湿フィルタ２３を低速回転させるとともに、電熱線１７へ通電してヒータユニット１４を作動させる。すると、本体ケース１の空気吸込口５から吸い込まれた室内空気Ｗ1は、ファン２の吐出口１０から吹き出される。この室内空気Ｗ1は、ヒータユニット１４を通過する過程で適当な温度に加熱された後、回転加湿フィルタ２３の回転中心より外周側へ供給される。
【００３４】
一方、低速回転されている回転加湿フィルタ２３の各プレート２５の一部は、水槽２２内の貯留水に浸漬され、前述したように、回転により貯留水から露出している部分も水に濡れている。
【００３５】
この状態の回転加湿フィルタ２３の回転中心より外周側をファン２から吹き出された室内空気Ｗ1が通過する過程において加湿がなされる。従って、回転加湿フィルタ２３を駆動させるための動力を低減できるとともに、加湿能力を最大限に発揮することができる。
【００３６】
上記したように、ファン２から吹き出される室内空気Ｗ1がヒータユニット１４によって適当な温度に加熱された後に回転加湿フィルタ２３へ供給されることとなっているので、回転加湿フィルタ２３に付着した水の蒸発が促進され、加湿効率が向上する。
【００３７】
上記のようにして得られた加湿空気Ｗ2は、回転加湿フィルタ２３の軸方向に流れ、ファンカバー７と本体ケース１との間に形成された加湿空気通路３８を通って空気吹出口６から室内へ吹き出され、室内を適湿環境に保持する。従って、本体ケース１内における空気の流れ全体をスムーズなものとすることができる。
【００３８】
上記構成の加湿装置における動作モードについては、下記表１に示す通りである。
【００３９】
【表１】
2008157617.tif 000003
【００４０】
また、自動運転モード・しっとり運転モードにおける動作は、下記表２に示す、（１）、（２）、（３）の動作を繰り返すこととなっている。
【００４１】
【表２】
2008157617.tif 000004
【００４２】
次に、本実施の形態にかかる加湿装置における各種運転制御について詳述する。
（Ｉ）  加湿運転初期における運転制御（図１１のフローチャート参照）
この運転制御は、全ての加湿運転初期において適用されるものであり、ステップＳ１においてフィルタモータ２６がＯＮされると、ステップＳ２において運転表示灯４９〜５４の全てが点滅される。その後、ステップＳ３において所定時間（例えば、３０秒）が経過したと判定されると、ステップＳ４においてファン２の低速運転が開始され、ステップＳ５において運転表示灯４９〜５４のいずれかが点灯される。なお、この時同時にヒータユニット１４への通電を開始するようにしてもよい。その後、ステップＳ６において１秒が経過したと判定されると、ステップ７においてファン２が所定の風量で運転され、制御はステップＳ１へリターンする。
【００４３】
上記したように、加湿運転開始時にはファン２を駆動させることなく回転加湿フィルタ２３のみを所定時間回転駆動させ、その後ファン２の駆動を開始するようにして、回転加湿フィルタ２３の全表面が水に濡れるのを待ってファン２が駆動開始され、実質的な加湿運転が開始されるようにしたので、長期間の運転休止後の加湿運転開始時あるいは乾燥条件での乾燥運転開始時に、回転加湿フィルタ２３における水に浸漬されていない部分に付着しているミネラル分やほこり等がファンから吹き出される室内空気Ｗ1に乗って室内へ飛散するのを防止することができる。また、回転加湿フィルタ２３の全表面が水に濡れた状態から実質的な加湿運転が開始されることとなり、ファン２の駆動動力を無駄に消費することがなくなる。
（ＩＩ）  安全処理運転制御（図１２のフローチャート参照）
ステップＳ１において温度センサー２１からのデータがマイコン５８に入力され、ステップＳ２において温度センサー２１からのデータが温度検知レベル（異常温度レベル）を超えているか否かの判定がなされ、ここで肯定判定されると、ステップＳ３においてヒータユニット１４への通電が停止され、ステップＳ４においてファン２が低速運転とされ且つフィルタモータ２６がＯＮされる（即ち、冷却運転が実行される）。ステップ５において安全処理表示（例えば、全ての表示灯４９〜５４の点滅）がなされる。その後、ステップＳ６において温度センサー２１からのデータがマイコン５８に再度入力され、ステップＳ７において１分が経過したと判定されると、ステップＳ８においてヒータユニット１４への通電が停止され、ファン２およびフィルタモータ２６の運転が停止され、その後ステップＳ１へリターンする。なお、安全処理表示は残される。
【００４４】
上記したように、温度センサー２１からのデータが異常となっているときには、１分間の冷却運転の後に安全処理表示を残して全ての駆動部品が運転停止されることとなっているので、加湿装置各部の冷却が行われることとなり、確実な安全処理を行うことができる。
（ＩＩＩ）  電源「切り」時の運転制御（図１３のフローチャート参照）
ステップＳ１においてヒータユニット１４への通電が停止され、ファン２が低速運転され、フィルタモータ２６が駆動される。また、ステップＳ２において全ての表示灯４９〜５４）が消灯される。そして、ステップＳ３において１分が経過したと判定されると、ヒータユニット１４への通電が停止され、ファン２およびフィルタモータ２６の運転が停止される（即ち、完全停止される）。
【００４５】
上記したように、電源「切り」時においては、ヒータユニット１４への通電を停止した後、１分後にファン２およびフィルタモータ２６の運転を停止するようにしているので、加湿運転終了時においては、ヒータユニット１４への通電停止後においては最後まで回転加湿フィルタ２３が回転駆動されることとなり、回転加湿フィルタ２３の表面が水槽２２内の水により洗浄され、ミネラル分やほこり等の付着量を減らすことができる。また、冷却運転により回転加湿フィルタ２３の冷却を行うこともできる。
（ＩＶ）  自動運転制御（図１４のフローチャート参照）
ステップＳ１においてヒータユニット１４への通電が停止され、ファン２が低速運転され、フィルタモータ２６がＯＮされ、ステップＳ２において３分が経過したと判定されると、ステップＳ３において温度センサー２１からの温度データおよび湿度センサー４３からの湿度データがマイコン５８に入力される。ここで、３分待機する理由は、温湿度判定を確実ならしめるためである。
【００４６】
ついで、ステップＳ４〜Ｓ６において運転モードの判定がなされる。この運転モードの判定は、以下のようになされる。
（１）  温度＝１７℃未満・湿度＝６４％未満、温度＝１７℃以上２０℃未満・湿度＝５８％未満あるいは温度＝２０℃以上・湿度＝５３％未満の場合、ステップＳ４において強運転モードと判定される。
（２）  温度＝１７℃未満・湿度＝６４％以上７０％未満、温度＝１７℃以上２０℃未満・湿度＝５８％以上６４％未満あるいは温度＝２０℃以上・湿度＝５３％以上５８％未満の場合、ステップＳ５において省エネ運転モードと判定される。
（３）  温度＝１７℃未満・湿度＝７０％以上、温度＝１７℃以上２０℃未満・湿度＝６４％以上あるいは温度＝２０℃以上・湿度＝５８％以上の場合、ステップＳ６において省エネ間欠運転モードと判定される。ここで、省エネ間欠運転とは、省エネ運転モードで１０分運転、運転停止２０分を繰り返す運転モードをいう。
【００４７】
上記運転モード判定に応じて、ステップＳ７〜Ｓ９において強運転、省エネ運転および省エネ間欠運転が実行される。ステップＳ１０において３０分が経過したか否かの判定がなされ、ここで、否定判定された場合には、ステップＳ４に戻り、運転モード判定が繰り返されるが、否定判定された場合には、ステップＳ３に戻り、以下の制御が繰り返される。
【００４８】
上記したように、自動運転においては、温湿度データに応じて、強運転、省エネ運転あるいは省エネ間欠運転が実行されるのである。
（Ｖ）  しっとり運転制御（図１５のフローチャート参照）
ステップＳ１においてヒータユニット１４への通電が停止され、ファン２が低速運転され、フィルタモータ２６がＯＮされ、ステップＳ２において３分が経過したと判定されると、ステップＳ３において温度センサー２１からの温度データおよび湿度センサー４３からの湿度データがマイコン５８に入力される。ここで、３分待機する理由は、温湿度判定を確実ならしめるためである。
【００４９】
ついで、ステップＳ４〜Ｓ６において運転モードの判定がなされる。この運転モードの判定は、以下のようになされる。
（１）  温度＝２０℃未満・湿度＝６４％未満あるいは温度＝２０℃以上・湿度＝６４％未満の場合、ステップＳ４において快温快速運転モードと判定される。
（２）  温度＝２０℃未満・湿度＝６４％以上７０％未満あるいは温度＝２０℃以上・湿度＝５８％以上６４％未満の場合、ステップＳ５において静音運転モードと判定される。
（３）  温度＝２０℃未満・湿度＝７０％以上あるいは温度＝２０℃以上・湿度＝６４％以上の場合、ステップＳ６において静音間欠運転モードと判定される。ここで、静音間欠運転とは、静音運転モードで１０分運転、運転停止２０分を繰り返す運転モードをいう。
【００５０】
上記運転モード判定に応じて、ステップＳ７〜Ｓ９において快温快速運転、静音運転および静音間欠運転が実行される。ステップＳ１０において３０分が経過したか否かの判定がなされ、ここで、否定判定された場合には、ステップＳ４に戻り、運転モード判定が繰り返されるが、否定判定された場合には、ステップＳ３に戻り、以下の制御が繰り返される。
【００５１】
上記したように、しっとり運転においては、温湿度データに応じて、快温快速運転、静音運転あるいは静音間欠運転が実行されるのである。
【００５２】
本願発明は、上記実施の形態に限定されるものではなく、発明の要旨を逸脱しない範囲において適宜設計変更可能なことは勿論である。
【図面の簡単な説明】
【００５３】
【図１】本願発明の実施の形態にかかる加湿装置の斜視図である。
【図２】本願発明の実施の形態にかかる加湿装置の縦断正面図である。
【図３】本願発明の実施の形態にかかる加湿装置の水タンク部分を省略した縦断背面図である。
【図４】本願発明の実施の形態にかかる加湿装置の縦断側面図である。
【図５】本願発明の実施の形態にかかる加湿装置におけるヒータユニットの拡大斜視図である。
【図６】本願発明の実施の形態にかかる加湿装置における回転加湿フィルタの拡大斜視図である。
【図７】本願発明の実施の形態にかかる加湿装置における回転加湿フィルタを構成するプレートの拡大斜視図である。
【図８】本願発明の実施の形態にかかる加湿装置における回転加湿フィルタを構成する回転軸の拡大斜視図である。
【図９】本願発明の実施の形態にかかる加湿装置における操作パネルの平面図である。
【図１０】本願発明の実施の形態にかかる加湿装置における電気的要素の結線図である。
【図１１】本願発明の実施の形態にかかる加湿装置における加湿運転初期の運転制御の内容を示すフローチャートである。
【図１２】本願発明の実施の形態にかかる加湿装置における加湿運転停止時の運転制御の内容を示すフローチャートである。
【図１３】本願発明の実施の形態にかかる加湿装置における電源「切り」時の運転制御の内容を示すフローチャートである。
【図１４】本願発明の実施の形態にかかる加湿装置における自動運転制御の内容を示すフローチャートである。
【図１５】本願発明の実施の形態にかかる加湿装置におけるしっとり運転制御の内容を示すフローチャートである。
【符号の説明】
【００５４】
１は本体ケース
２はファン
３は気化式加湿エレメント
４は水タンク
５は空気吸込口
６は空気吹出口
７はファンカバー
８は羽根車
９は吸気口
１０は吐出口
１４は加熱源（ヒータユニット）
２１は温度検知手段（温度センサ）
２２は水槽
２３は回転加湿フィルタ
２４は回転軸
２５はプレート
２５ａは軸心
２５ｂは平面部
２６は駆動源（フィルタモータ）
２８はリブ
５８はマイコン
Ｍは回転方向
Ｗ1は室内空気
Ｗ2は加湿空気
【図１】
2008157617.tif 000005
【図２】
2008157617.tif 000006
【図３】
2008157617.tif 000007
【図４】
2008157617.tif 000008
【図５】
2008157617.tif 000009
【図６】
2008157617.tif 000010
【図７】
2008157617.tif 000011
【図８】
2008157617.tif 000012
【図９】
2008157617.tif 000013
【図１０】
2008157617.tif 000014
【図１１】
2008157617.tif 000015
【図１２】
2008157617.tif 000016
【図１３】
2008157617.tif 000017
【図１４】
2008157617.tif 000018
【図１５】
2008157617.tif 000019